(57)【要約】【課題】  カバーキャップに操作部材を取着し、不用意に押下げヘッドや押下げ板に触れられないようにするとともに、二液の混合噴出と、いずれか一液の選択噴出を確実に、かつ容易に切り替え、誤作動を起こさないようにした二液噴出器を提供すること。【解決手段】  容器本体と、該容器本体に取付キャップを介して取付られた噴出ノズルを有するノズルヘッドとからなる一対の噴出容器と、該噴出容器を被うカバーキャップとを備えた液噴出器であって、カバーキャップは、頂壁と前後の側周壁上方を切欠いて、双方のノズルヘッドを露出させる切欠部を具備しており、頂壁の切欠部端縁の前端に、前後に摺動可能な操作部を設けた操作部材を廻動自在に取着したことを特徴とする。【選択図】  図１
2005132439.tif 000002
【特許請求の範囲】
【請求項１】
容器本体と、該容器本体に取付キャップを介して取付られた噴出ノズルを有するノズルヘッドとからなる一対の噴出容器と、該噴出容器を被うカバーキャップとを備えた液噴出器であって、
カバーキャップは、頂壁と前後の側周壁上方を切欠いて、双方のノズルヘッドを露出させる切欠部を具備しており、
頂壁の切欠部端縁の前端に、前後に摺動可能な操作部を設けた操作部材を廻動自在に取着したことを特徴とする液噴出器。
【請求項２】
操作部材が、取着部と、該取着部の支持杆に摺動可能に嵌挿され、後端側部に突出部を設けた操作部とからなり、
カバーキャップの側周壁の切欠部端縁の上部に、操作部の突出部が係合するストッパーを設けたことを特徴とする請求項１記載の液噴出器。
【請求項３】
操作部材が、伸縮自在となっており、伸長時に、操作部の突出部がカバーキャップのストッパーから外れるようにしたことを特徴とする請求項１、２記載の液噴出器。
【発明の詳細な説明】
【技術分野】
【０００１】
本発明は、二液混合噴出と一液選択噴出を可能とした液噴出器に関するものである。
【背景技術】
【０００２】
化粧料、毛染液等の二液を、所要に応じて単独、または混合して噴出できるようにした噴出容器において、ステムの上端に押下げヘッドを取着した二つの容器を一体に保持し、双方の押下げヘッドの間に、両方の押下げヘッドの押上げ面に係合する押下げ板を装着し、いずれかの押下げヘッドを押下げることによって一方の容器から所望する内容液を噴出させ、押下げ板を押下げることによって両方の容器から内容液を噴出混合するようにした二液混合兼一液選択噴出容器は、従来より知られている（例えば特許文献１参照）。
【特許文献１】特開２００２−５９９８１
【発明の開示】
【発明が解決しようとする課題】
【０００３】
しかしながら、上記従来の噴出容器では、使用にあたって、カバー筒（５１）を取り外したときに、誤って押下げヘッドや、押下げ板を押さえるおそれがあった。
【０００４】
本発明は、上記の問題を考慮し、カバーキャップに操作部材を取着し、不用意に押下げヘッドや押下げ板に触れられないようにするとともに、二液の混合噴出と、いずれか一液の選択噴出を確実に、かつ容易に切り替え、誤作動を起こさないようにした二液噴出器を提供することを目的とする。
【課題を解決するための手段】
【０００５】
本発明は、上記の課題を解決するため、液噴出器として、容器本体と、該容器本体に取付キャップを介して取付られた噴出ノズルを有するノズルヘッドとからなる一対の噴出容器と、該噴出容器を被うカバーキャップとを備えた液噴出器であって、カバーキャップは、頂壁と前後の側周壁上方を切欠いて、双方のノズルヘッドを露出させる切欠部を具備しており、頂壁の切欠部端縁の前端に、前後に摺動可能な操作部を設けた操作部材を廻動自在に取着したことを特徴とする構成を採用する。
【０００６】
操作部材の具体的実施態様として、操作部材が、取着部と、該取着部の支持杆に摺動可能に嵌挿され、後端側部に突出部を設けた操作部とからなり、カバーキャップの側周壁の切欠部端縁の上部に、操作部の突出部が係合するストッパーを設けたことを特徴とする構成を採用する。
【０００７】
また、操作部材が、伸縮自在となっており、伸長時に、操作部の突出部がカバーキャップのストッパーから外れるようにしたことを特徴とする構成を採用する。
【発明の効果】
【０００８】
操作部材が、操作部の引出し操作により伸縮可能であるとともに、廻動自在として二つのノズルヘッドを被うカバーキャップに取着されており、操作部材の縮小時には、カバーキャップのストッパーに係止されて下方への廻動操作が阻止され、伸長時には、ストッパーから外れて下方への廻動操作ができ、両方のノズルヘッドを同時に押下げることができるようになった。
また、操作部材を上方に廻動させることによって、両方のノズルヘッド上面を露出させ、いずれかを選択して押下げ操作ができるようになった。
【０００９】
したがって、操作部材を取着したことによって、両ノズルヘッドの同時押下げ、選択押下げ、押下げ阻止の三つの状態を選択できるようになり、それぞれの操作を確実かつ容易に行うことができるようになった。
【発明を実施するための最良の形態】
【００１０】
次に、本発明の液噴出器について説明する。
図１、２において、Ａは噴出容器、Ｂは一対の噴出容器Ａを収納した外容器、Ｃはカバーキャップ、Ｄは操作部材である。
図２、３に示すように、噴出容器Ａは、容器本体Ａ１と取付キャップＡ２を介して容器本体Ａ１に装着され、上端にノズルヘッドＡ３を取着したポンプ（図示しない）を具えている。
【００１１】
容器本体Ａ１は、口部１と肩部２、胴部３と底部４とからなり、口部１は円形で、外周にはねじが螺設されており、肩部２と胴部３の横断面形状は、中央側が直線部５、側部が楕円弧部６となっている。
【００１２】
取付キャップＡ２は、パッキンを介してポンプを容器本体Ａ１の口部１に取り付けており、取付キャップＡ２の上面には、案内筒７が立設されている。
【００１３】
ポンプのピストンの上端には、ステムが取り付けられ、該ステムには、噴出ノズル１０を設けたノズルヘッドＡ３が、位置決め手段によって容器本体Ａ１と位置合わせされて取り付けられている。
【００１４】
ポンプは、ノズルヘッドを押下げることによって、一定量の内容液を吸い上げ、噴出ノズルから噴出する公知のものでよい。
【００１５】
ノズルヘッドＡ３は、頂壁１１と側周壁１２とからなり、頂壁１１の形状と側周壁１２の横断面形状は、容器本体Ａ１と同様に、直線部１３と楕円弧部１４とからなり、直線部１３が接合するように二つのノズルヘッドＡ３が容器本体Ａ１に位置決めされて配設されており、各噴出ノズル１０は、直線部１３から周方向に延びるよう突設されている。
ノズルヘッドＡ３の側周壁１２は、その内周の一部が案内筒７に摺接し、上下に案内されるようになっている。
【００１６】
外容器Ｂは、側周壁２０と底壁２１とからなっており、側周壁２０の上端は縮径された嵌合部２２となっており、外周に膨出部２３が設けられている。
側周壁２０の横断面は、二つの容器本体Ａ１をその直線部５を接合して収納できるよう楕円状となっている。
【００１７】
図４に示すように、カバーキャップＣは、頂壁２５と側周壁２６とからなり、頂壁２５と側周壁２６の前後を通じて中央部に共通する切欠部２７が形成されている。
切欠部２７の前面２８には、並列する二つの噴出ノズル１０の先端が突出するようになっており、頂壁２５の先端には、切欠部２７側端縁に沿って、操作部材Ｄを取着するための取付孔２９を穿孔した取付部３０が設けられている。
【００１８】
頂壁２５の切欠部端縁の後端には切欠け３１が設けられ、側周壁２６切欠部端縁の上端部には段部３２が設けられ、ストッパー３３が形成されている。
切欠部２７の後面３４は、前面２８と同じ高さを有しており、操作部材Ｄが一定の範囲で廻動できるようになっている。
カバーキャップＣの下端は、外容器Ｂの嵌合部２２に係合する係合部３５となっている。
【００１９】
図５に示すように、操作部材Ｄは、取付部４０と操作片４１とからなっており、取付部４０は、両端に取付ピン４２を突設した取付軸４３と、該取付軸４３に連設され、下側に押え板４４を取り付けた操作杆４５と、該操作杆４５の両側に設けられ、先端に係止部４６を設けた係止杆４７とからなっている。
押え板４４の形状、肉厚は適宜に選択できる。
【００２０】
図６に示すように、操作片４１は、前記係止杆４７が嵌挿される有底の箱体４８で形成され、箱体４８の上壁４９には、凹部、または透孔によって摘み部５０が設けられ、下壁５１には、押え板４４が嵌挿される縦溝５２が穿設されている。
箱体４８の側壁５３の先端部は、突出部５４が突設され、側壁５３内面は、係止杆４７の係止部４６が圧接されるようになっており、その所定位置には、係合爪５５が設けられている。
【００２１】
操作部材Ｄの取り付けにあたっては、取付軸４３の取付ピン４２がカバーキャップＣの取付孔２９に嵌挿されるように切欠部２７に押圧嵌入される。
次いで、取付部４０に操作片４１が押圧嵌挿され、係止杆４７の係止部４６が箱体４８の係合爪５５を乗り越え、箱体４８の端面４８ａが取付軸４３に当接するまで嵌挿される。
【００２２】
次に、本発明の噴出器の使用態様と作用効果について説明する。
噴出容器Ａには、化粧料、毛染料等、二液を混合して使用するために、所要の内容液がそれぞれの容器本体Ａ１に収納されており、ノズルヘッドＡ３を取着したポンプが、取付キャップＡ２により容器本体Ａの口部１に取着され、噴出容器Ａが組み立てられる。
【００２３】
二つの噴出容器Ａは、容器本体Ａ１とノズルヘッドＡ３のそれぞれの直線部５、１３  が接合され、一対の噴出容器Ａとして外容器Ｂに収納され、その上から、図１に示すように、カバーキャップＣが被嵌される。
その際には、容器本体Ａ１の底部４は、外容器Ｂの底壁２１に載置され、カバーキャップＣに取着した操作部材Ｄの押え板４４がノズルヘッドＡ３の頂壁１１上面に当接するとともに、操作片４１の突出部５４が頂壁２５の切欠け３１に嵌挿され、突出部５４の下面は、側周壁２６後面の段部３２に当接し、操作部材Ｄが妄動しないようにロックされる。
【００２４】
内容液の噴出にあたって、二液を混合して噴出する場合には、図７に示すように、操作片４１を引き出すと、突出部５４が側周壁２６の段部３２から外れてロックが解除され、操作部材Ｄが押下げ可能となる。
次に操作部材Ｄを押下げると、押え板４４が同時に双方のノズルヘッドＡ３を押下げ、双方の噴出ノズル１０から内容液が噴出される。
【００２５】
噴出された内容液を、噴出ノズル１０の前方でコップや手のひらで受け、混合した上で所要個所に塗布することができる。  
【００２６】
次に、一液のみを噴出させるときに、図８に示すように、操作部材Ｄの操作片４１を引き出さないで、そのまま上方に廻動させると、双方のノズルヘッドＡ３の頂壁１１が露出され、いずれか一方のノズルヘッドＡ３を押し下げると、当該ノズルヘッドＡ３の噴出ノズル１０から内容液が噴出する。
【００２７】
次に、変形実施例について説明する。
前記実施形態では、一対の噴出容器Ａを外容器Ｂに収納したが、本実施例はカバーキャップで二つの容器本体を連結したものである。
【００２８】
図９、１０において、Ａａは噴出容器、Ｃａはカバーキャップ、Dａは操作部材である。
噴出容器Ａａは、前記実施形態と同様に、容器本体Ａ１ａと、取付キャップＡ２ａを介して容器口部に取着されたポンプと、ポンプのステムに取着されたノズルヘッドＡ３ａとから構成されている。
【００２９】
容器本体Ａ１ａは、口部１ａと、肩部２ａ、胴部３ａと底部４ａとからなり、肩部２ａと胴部３ａの横断面の形状は、直線部５ａと楕円弧部６ａとから形成されており、肩部２ａの楕円弧部６ａには、膨出部６０が形成され、その下方は、胴部３ａ上端縁に設けられた段部６１となっている。
【００３０】
取付キャップＡ２ａ、ポンプ、ノズルヘッドＡ３ａは、前記実施形態と同様であるので、符号に添え字ａを付して図示するにとどめ、説明を省略する。  
【００３１】
二つの噴出容器Ａaは、前記実施形態と同様に、各容器本体Ａ１ａとノズルヘッドＡ３ａのそれぞれの直線部同士が接合させて連結されるようになっている。
【００３２】
カバーキャップＣａは、下端部に肩部２ａの膨出部６０に係合する凹部６２が設けられ、下端６３が胴部３ａ上端の段部６１に当接されるようになっており、他の点は前記実施形態のものと同一である。
【００３３】
噴出容器Ａａの連結にあたって、カバーキャップＣａで各噴出容器の肩部２ａの楕円弧部６ａを締着するようにしており、さらに、容器本体Ａａの底部４ａを保持台６４に載置するようにしてもよい。
【００３４】
本実施例の液噴出器では、二つの噴出容器をカバーキャップで直接連結することができ、使用にあたっては、前記実施形態と同様の作用効果を得ることができる。
【００３５】
前記実施形態においては、操作部材の操作杆４５に押え板４４を連設したが、押え板をなくしてもよい。
その場合には、ノズルヘッドＡ３の間の隙間が大きくなっても操作片４１によって双方のノズルヘッドＡ３が同時に押下げられ、内容液が噴出ノズル１０から噴出される。
【００３６】
また、前記実施形態では、噴出ノズルから内容液を噴出するようにしたが、ノズルヘッドに噴霧ノズルを取付け、噴霧するようにしてもよい。
【産業上の利用可能性】
【００３７】
ノズルヘッドを覆うカバーキャップに切欠部を設け、切欠部の頂壁前端に操作片がカバーキャップのストッパーに係脱自在とした操作部材を取着し、操作部材の廻動操作に応じて、両ノズルヘッドの同時押下げ、ストッパーとの係合による押下げ阻止、選択押出しを確実に切換えることができ、二液混合噴出器の利用範囲を広げ、化粧料ばかりでなく、食品、その他の分野でも利用できるようになった。
【図面の簡単な説明】
【００３８】
【図１】本発明液噴出器の斜視図である。
【図２】液噴出器の一部断面立面図である。
【図３】カバーキャップを取外した液噴出器の上面図である。
【図４】カバーキャップの説明図で、（ａ）は断面立面図、（ｂ）は上面図である。
【図５】操作部材の説明図で、（ａ）は分解斜視図、（ｂ）は取付部の側面図、（ｃ）は取付部の上面図である。
【図６】操作片の説明図で、（ａ）は断面立面図、（ｂ）は上面図、（ｃ）は左側面図である。
【図７】操作部材の作動説明図で、（ａ）は操作部引出し時、（ｂ）は二液噴出時の説明図である。
【図８】一液選択噴出時の説明図で、（ａ）は断面立面図、（ｂ）は背面斜視図である。
【図９】別実施例の断面立面図である。
【図１０】別実施例の斜視図である。
【符号の説明】
【００３９】
Ａ、Ａａ      噴出容器
Ａ１、Ａ１ａ  容器本体
Ａ２、Ａ２ａ  取付キャップ
Ａ３、Ａ３ａ  ノズルヘッド
Ｂ            外容器
Ｃ、Ｃａ      カバーキャップ
Ｄ、Ｄａ      操作部材
１、１ａ      口部
２、２ａ      肩部
３、３ａ      胴部
４、４ａ      底部
５、５ａ      直線部
６、６ａ      楕円弧部
７            案内筒
１０          噴出ノズル
１１          頂壁
１２          側周壁
１３          直線部
１４          楕円弧部
２０          側周壁
２１          底壁
２２          嵌合部
２３          膨出部
２５          頂壁
２６          側周壁
２７          切欠部
２８          前面
２９          取付孔
３０          取付部
３１          切欠け
３２          段部
３３          ストッパー
３４          後面
３５          係合部
４０          取付部
４１          操作片
４２          取付ピン
４３          取付軸
４４          押え板
４５          操作杆
４６          係止部
４７          係止杆
４８          箱体
４８ａ        端面
４９          上壁
５０          摘み部
５１          下壁
５２          縦溝
５３          側壁
５４          突出部
５５          係合爪
６０          膨出部
６１          段部
６２          凹部
６３          下端
６４          保持台
【図１】
2005132439.tif 000003
【図２】
2005132439.tif 000004
【図３】
2005132439.tif 000005
【図４】
2005132439.tif 000006
【図５】
2005132439.tif 000007
【図６】
2005132439.tif 000008
【図７】
2005132439.tif 000009
【図８】
2005132439.tif 000010
【図９】
2005132439.tif 000011
【図１０】
2005132439.tif 000012